(57)【要約】【課題】子供でも上糸の張力の調整を適性に行えると共に、上糸が糸調子器から外れることの無いような糸調子器を備えたミシン玩具を提供することを課題とする。【解決手段】本発明のミシン玩具は、糸調子器内部の糸調子皿の内周縁と糸調子器が接する本体の当接部にそれぞれ湾曲面を設けた糸調子器を備えている。即ち、前記の二つの湾曲面同士で上糸を保持する構造を備えている。あるいは糸調子皿の内側形状において、当接部内周縁の角を落すように、円錐形の傾斜面を設ける。【選択図】図３
2005349067.tif 000002
【特許請求の範囲】
【請求項１】
主駆動軸と連係し調時して作動する天秤及び縫い針、釜機構、布送り機構を備えるミシン本体と、支持軸と支持軸の一端に形成されるネジ部に螺合して進退位置調整可能なつまみ部と、支持軸に滑動可能に支持され上糸を挟持する円形の糸調子皿と、一端をつまみ部に他端を前記糸調子皿の一方に当接しつまみ部の進退位置により糸調子皿への付勢力を変化させるバネとを備えた糸調子器を持ち、前記糸調子皿のミシン本体側への当接部が当接される本体側受け部を湾曲面としたことを特徴とするミシン玩具。
【請求項２】
前記糸調子皿におけるミシン本体側への当接部を湾曲面としたことを特徴とする請求項１記載のミシン玩具
【請求項３】
前記糸調子皿と本体の二つの湾曲面における曲率半径が略一致することを特徴とする請求項２記載のミシン玩具
【発明の詳細な説明】
【技術分野】
【０００１】
本発明は、上糸に所定の張力を与える糸調子器を備えるミシン玩具に関し、より詳細には、上糸の張力を正確に徴小変化させることができるミシン玩具に関する。
【背景技術】
【０００２】
従来より、実際のミシンに近い縫合機能を持ちながら構造を簡素化した子供用のミシン玩具が提供されている。
【０００３】
ミシン玩具の例としては、従来の内蔵された駆動機構を可能な限り簡素化すると共に、上糸と下糸を使用して本格的な縫合作業ができるようにして、子供の使用にも充分耐えることができるようなミシン玩具が公開されている。（例えば、特許文献１参照。）。本玩具は、天秤、縫い針、釜、布送り機構などのミシンの主要機構を本体に内蔵された主駆動軸と調時して動作させるミシン玩具である。
【特許文献１】公開実用新案公報平８−５８
【発明の開示】
【発明が解決しようとする課題】
【０００４】
ミシンの糸ボビンと縫い針との間には、上糸の揺動を防止すると共に、上糸に所定の張力を与える機能を持つ糸調子器が備えられている。しかしながら従来の糸調子器は、糸調子器の糸調子皿が本体当接部と平面で接触しその接触部で上糸を固定するものであるので、上糸を平面で挟みつけその挟み圧力を変化させて、摩擦抵抗のみで張力を調整することになり、張力を弱く設定しようとした場合に張力が安定しないという問題があった。更には張力の徴小の調整変化が困難であり、また上糸の張力を弱めに設定した際に、付勢力が緩和されて上糸が糸調子器から外れてしまうということもあった。
【０００５】
そこで本発明では、従来技術の問題点に鑑みなされたもので、子供でも上糸の張力の調整を適性に行えると共に、上糸が糸調子器から外れることの無いような糸調子器を備えたミシン玩具を提供することを課題とする。
【課題を解決するための手段】
【０００６】
請求項１記載の発明は、主駆動軸と連係し調時して作動する天秤及び縫い針、釜機構、布送り機構を備えるミシン本体と、支持軸と支持軸の一端に形成されるネジ部に螺合して進退位置調整可能なつまみ部と、支持軸に滑動可能に支持され上糸を挟持する円形の糸調子皿と、一端をつまみ部に他端を前記糸調子皿の一方に当接しつまみ部の進退位置により糸調子皿への付勢力を変化させるバネとを備えた糸調子器を持ち、前記糸調子皿のミシン本体側への当接部が当接される本体側受け部を湾曲面としたことを特徴とするミシン玩具である。
【０００７】
本発明によれば、糸調子皿の本体側への当接部と本体側受け部の湾曲面で上糸が固定されるので、接触面積が小さくなり糸調子器の締め付け応力が増加して、上糸への付勢力も大きくなる。その結果上糸の張力が安定すると共に、上糸が糸調子器から外れてしまうことを防止することが出来る。
【０００８】
請求項２記載の発明は、前記糸調子皿におけるミシン本体側への当接部を湾曲面としたことを特徴とする請求項１記載のミシン玩具である。
【０００９】
本発明によれば、糸調子皿のミシン本体側への当接部、即ち内周縁も湾曲面とすることにより、糸調子皿とその本体受け部がしっかりと密着して上糸を固定するので、上糸の張力をより適性に調整することができる。
【００１０】
請求項３記載の発明は、前記糸調子皿と本体の二つの湾曲面における曲率半径が略一致することを特徴とする請求項１記載のミシン玩具である。
【００１１】
本発明によれば、糸調子皿と本体側受け部の密着性が向上するので、上糸の張力をより高い精度で調整することができる。
【発明の効果】
【００１２】
本発明は以上説明したような形態で実施され、次のような効果を有する。
【００１３】
本発明によれば、糸調子皿の内周縁の部分と糸調子器が当接される本体側受け部にそれぞれ湾曲面を設けることにより、上糸に掛かる付勢力を大きくすることができるので、上糸の張力を弱めた場合でも、上糸に一定した低張力を付与することができる。またミシンの天秤の上下動などによる上糸の糸調子皿内部での揺動を防止することが出来る。
【発明を実施するための最良の形態】
【００１４】
本発明のミシン玩具は、糸調子器内部の糸調子皿の内周縁と糸調子器が接する本体側の当接部にそれぞれ湾曲面を設けた糸調子器を備えている。即ち、前記の湾曲面同士で上糸を保持する構造を備えている。あるいは糸調子皿の内側形状において、当接部内周縁の角を落すように、円錐形の傾斜面を設ける。
【実施例】
【００１５】
以下、図面に基づいて本発明の実施例を詳細に説明する。
図１は本発明の実施例であるミシン玩具の外観図を示している。外観は実物の市販のミシンを模しており、本体１は駆動軸とそれに調時して作動する天秤及び縫い針を有し、本体１の内部には釜機構、布送り機構を備えている。ミシンの基本構造については既知のものとして説明を省略する。更に、本体側面部には上糸９に適正な張力を付与する為の糸調子器２を設けている。
【００１６】
図２は本ミシン玩具が有する糸調子器２の分解図を示している。半円容器状のつまみ部３の内側には、中央部分に支持軸４を挿通する為の穴部３ａが設けられている。支持軸４は本体１に挿入される部分がネジ部４ａとなっており、ネジ部ではない他端をつまみ部３の穴部３ａに挿通し固定される。糸調子皿５はその内周縁が内側に落ち込む形状の湾曲面５ｂを備えている。また、中央には支持軸４を挿通する為の貫通穴５ａが穿設されている。つまみ部３の穴部３ａに支持軸４を挿通し固定した後、支持軸４をバネ６に通す。続いて、支持軸４を糸調子皿５の湾曲面５ｂとの対面方向から貫通穴５ａに挿通する。その結果バネ６の一端はつまみ部３の内面で固定され、他端は糸調子皿５で固定されバネ６はつまみ部３と糸調子皿５の間で圧縮される。一方、本体１の糸調子器取り付け位置には糸調子皿５が当接される本体側受け部７が形成されている。この糸調子皿５の湾曲面５ｂが当接される受け部７の周縁には、湾曲面７ｂが設けられて凸型に受け部を形成し、その中央には支持軸４を挿通する為の貫通穴７ａが設けられている。また、糸調子器当接部７の背面にはナット８を挿入するための穴部７ｃが設けられ、支持軸４の螺子部４ａとナット８が螺合する。従って、手でつまみ部３を回動することにより、つまみ部３が進退自在になり、バネ６の圧縮状態も変化することから、糸調子皿５にかかる応力を自由に調節することができる。
【００１７】
図３は図２の糸調子器を組立て断面図（ａ）と、糸調子器で実際に上糸を挟持した状態（ｂ）を示している。前述の糸調子皿５の湾曲面５ｂと本体側糸調子皿当接部７の湾曲面７ｂについては、ほぼ同一の曲率半径を有している。従って、糸調子皿の本体への密着度を上げることがき、上糸９をそれぞれの湾曲面同士で挟持した場合にも、上糸への応力が増加することから付勢力が大きくなる。このため、バネ６は前端と後瑞との直径を変化させた釣鐘型とすることなく、一定直径のつる巻バネを用いて圧力調整が可能となる。また、同時に上糸に付与される張力もつまみ部の回動位置に応じたものとなる。例えば、上糸への付勢力が小さい場合でも、つまみ部の回動位置に応じた適正な張力を上糸に付与することが出来る。また、ミシンの天秤の上下動によって糸調子皿内で上糸が大きく揺動することが無く、糸調子皿から外れてしまうようなことがない。
【００１８】
図４は糸調子皿の内周縁の形状についての別の実施例を示したものである。糸調子皿の内側形状は前述の湾曲面５ｂとする場合のみでなく、当接部内周縁の角を落すように、円錐形の傾斜面５ｃを設けることもある。
【００１９】
本発明のミシン玩具の備える糸調子器は単体での上糸の付勢、張力調整能力が優れており、ミシンの内部構造によらず、様々なミシンに取り付けることが可能である。
【産業上の利用可能性】
【００２０】
本発明のミシン玩具は子供であっても糸調子器のつまみ部を回動させるだけで容易に上糸に所望の張力を付与することができると共に、上糸が糸調子器から外れることの無い画期的なミシン玩具である。
【図面の簡単な説明】
【００２１】
【図１】本発明のミシン玩具の実施例について、その外観図を示す。
【図２】本発明のミシン玩具の実施例について、糸調子器の分解図を示す。
【図３】本発明のミシン玩具の実施例について、糸調子器の断面図を示す。
【図４】本発明のミシン玩具の実施例について、内周縁の形状が異なる糸調子皿を示す。
【符号の説明】
【００２２】
１ ミシン玩具本体
１ａ 湾曲面
２ 糸調子器
３ つまみ部
３ａ 穴部
４ 支持軸
４ａ ネジ部
５ 糸調子皿
５ａ 貫通穴
５ｂ 湾曲面
５ｃ 傾斜面
６ バネ
７ 本体側受け部
７ａ 貫通穴
７ｂ 湾曲面
７ｃ 穴部
８ ナット
９ 上糸
【図１】
2005349067.tif 000003
【図２】
2005349067.tif 000004
【図３】
2005349067.tif 000005
【図４】
2005349067.tif 000006